(57)【特許請求の範囲】
【請求項１】
物体側から像側へ順に配置された、正の屈折力の第１レンズ群、負の屈折力の第２レンズ群、正の屈折力の第３レンズ群、正の屈折力の第４レンズ群、負の屈折力の第５レンズ群、正の屈折力の第６レンズ群より構成され、広角端から望遠端へのズーミングに際して、前記第１レンズ群と前記第２レンズ群の間隔が拡大し、ズーミングに際して隣り合うレンズ群の間隔が変化するズームレンズであって、
前記第１レンズ群は、物体側から像側へ順に配置された、物体側に凸面を向けた正レンズ、物体側に凸面を向けたメニスカス形状の負レンズより構成されることを特徴とするズームレンズ。
【請求項２】
前記負レンズの物体側のレンズ面の曲率半径をｒ１２ａ、前記負レンズの像側のレンズ面の曲率半径をｒ１２ｂとするとき、
０．０＜（ｒ１２ａ−ｒ１２ｂ）／（ｒ１２ａ＋ｒ１２ｂ）≦０．６
なる条件式を満足することを特徴とする請求項１に記載のズームレンズ。
【請求項３】
前記負レンズは樹脂材料より構成されることを特徴とする請求項１または２に記載のズームレンズ。
【請求項４】
前記負レンズの像側のレンズ面の曲率半径をｒ１２ｂ、広角端における全系の焦点距離をｆｗとするとき、
０．６≦ｒ１２ｂ／ｆｗ≦３．５
なる条件式を満足することを特徴とする請求項１乃至３のいずれか１項に記載のズームレンズ。
【請求項５】
前記負レンズの焦点距離をｆＧ１２、広角端における全系の焦点距離をｆｗとするとき、
１．２≦｜ｆＧ１２／ｆｗ｜≦１０．０
なる条件式を満足することを特徴とする請求項１乃至４のいずれか１項に記載のズームレンズ。
【請求項６】
前記正レンズの材料のアッベ数をνｄＧ１１とするとき、
５５．０≦νｄＧ１１≦１００．０
なる条件式を満足することを特徴とする請求項１乃至５のいずれか１項に記載のズームレンズ。
【請求項７】
無限遠から近距離へのフォーカシングに際して前記第５レンズ群は像側へ移動することを特徴とする請求項１乃至６のいずれか１項に記載のズームレンズ。
【請求項８】
広角端におけるバックフォーカスをＳｋｗ、広角端における全系の焦点距離をｆｗとするとき、
０．５８＜Ｓｋｗ／ｆｗ＜１．００
なる条件式を満足することを特徴とする請求項１乃至７のいずれか１項に記載のズームレンズ。
【請求項９】
広角端から望遠端へのズーミングに際して、前記第２レンズ群は不動で、前記第１レンズ群、前記第３レンズ群、前記第４レンズ群、前記第５レンズ群、前記第６レンズ群は物体側へ移動することを特徴とする請求項１乃至８のいずれか１項に記載のズームレンズ。
【請求項１０】
請求項１乃至９のいずれか１項に記載のズームレンズと、該ズームレンズによって形成される像を受光する撮像素子とを有することを特徴とする撮像装置。
【発明の詳細な説明】
【技術分野】
【０００１】
本発明は、ズームレンズ及びそれを有する撮像装置に関し、例えばデジタルカメラ、ビデオカメラ、放送用カメラ、監視用カメラ、銀塩写真用カメラなどの撮像装置の撮像光学系として好適なものである。
【背景技術】
【０００２】
近年、撮像装置に用いる撮像光学系としては、レンズ全長が短く、全体として小型、軽量であり、しかも高いズーム比（変倍比）を有するズームレンズであることが要求されている。これらの要求を満足するズームレンズとして、最も物体側に正の屈折力のレンズ群を配置したポジティブリード型のズームレンズが知られている（特許文献１）。
【０００３】
特許文献１では、物体側から像側へ順に、正、負、正、正、負、正の屈折力の第１レンズ群乃至第６レンズ群から成り、ズーミングに際して隣り合うレンズ群の間隔が変化するズームレンズを開示している。特許文献１では、ズーム比３程度のズームレンズを開示している。
【先行技術文献】
【特許文献】
【０００４】
【特許文献１】特開２０１２−４７８１４号公報
【発明の概要】
【発明が解決しようとする課題】
【０００５】
ポジティブリード型のズームレンズは全系の小型化を図りつつ、高ズーム比化を図ることが比較的容易である。多くのポジティブリード型のズームレンズにおいて、Ｆナンバーで決まる軸上光線は第１レンズ群を光軸から離れた位置を通過する。このためポジティブリード型のズームレンズでは第１レンズ群の有効径が大きくなり、第１レンズ群が大型化してくる。また望遠端での焦点距離を長く（長焦点距離化）しつつ、高ズーム比化を図ると望遠側のズーム領域において、第１レンズ群より球面収差、コマ収差、色収差等の諸収差が多く発生してくる。
【０００６】
ポジティブリード型のズームレンズでは第１レンズ群のレンズ構成が光学性能に大きく影響し、また第１レンズ群の大きさがズームレンズ全体の大きさ及び重量に大きく影響する。このためポジティブリード型のズームレンズにおいて、全系の小型化、軽量化を図りつつ、高ズーム比で全ズーム範囲で高い光学性能を得るには、レンズ群の数や各レンズ群の屈折力に加えて第１レンズ群のレンズ構成を適切に設定することが重要になってくる。
【０００７】
これらの構成を適切に設定しないと、全系の小型化、軽量化を図りつつ、高ズーム比で、諸収差を良好に補正し、全ズーム範囲で高い光学性能のズームレンズを得るのが難しくなってくる。
【０００８】
本発明は、高ズーム比で全ズーム範囲で良好な光学特性が得られる小型、軽量なズームレンズ及びそれを有する撮像装置の提供を目的とする。
【課題を解決するための手段】
【０００９】
本発明のズームレンズは、物体側から像側へ順に配置された、正の屈折力の第１レンズ群、負の屈折力の第２レンズ群、正の屈折力の第３レンズ群、正の屈折力の第４レンズ群、負の屈折力の第５レンズ群、正の屈折力の第６レンズ群より構成され、広角端から望遠端へのズーミングに際して、前記第１レンズ群と前記第２レンズ群の間隔が拡大し、ズーミングに際して隣り合うレンズ群の間隔が変化するズームレンズであって、
前記第１レンズ群は、物体側から像側へ順に配置された、物体側に凸面を向けた正レンズ、物体側に凸面を向けたメニスカス形状の負レンズより構成されることを特徴としている。
【発明の効果】
【００１０】
本発明によれば、高ズーム比で全ズーム範囲で良好な光学特性が得られる小型、軽量なズームレンズが得られる。
【図面の簡単な説明】
【００１１】
【図１】本発明の実施例１のレンズ断面図
【図２】（ａ）、（ｂ）  実施例１における無限端での広角端と望遠端での諸収差図
【図３】本発明の実施例２のレンズ断面図
【図４】（ａ）、（ｂ）  実施例２における無限端での広角端と望遠端での諸収差図
【図５】本発明の実施例３のレンズ断面図
【図６】（ａ）、（ｂ）  実施例３における無限端での広角端と望遠端での諸収差図
【図７】第１レンズ群の構成と収差係数Ｉとの関係を示すグラフ
【図８】第１レンズ群の構成と収差係数IIとの関係を示すグラフ
【図９】本発明の撮像装置の要部概略図
【発明を実施するための形態】
【００１２】
以下に本発明の好ましい実施の形態を、添付の図面に基づいて説明する。本発明のズームレンズは物体側から像側へ順に配置された正の屈折力の第１レンズ群、負の屈折力の第２レンズ群、正の屈折力の第３レンズ群、正の屈折力の第４レンズ群、負の屈折力の第５レンズ群、正の屈折力の第６レンズ群より構成されている。広角端から望遠端へのズーミングに際して、第１レンズ群と第２レンズ群の間隔が拡大する。ズーミングに際して隣り合うレンズ群の間隔が変化する。
【００１３】
図１は実施例１のズームレンズの広角端（短焦点距離端）における無限遠物体合焦時（フォーカス時）のレンズ断面図である。図２（ａ）は実施例１の広角端における無限遠物体合焦時の収差図である。図２（ｂ）は実施例１の望遠端（長焦点距離端）における無限遠物体合焦時の収差図である。実施例１はズーム比４．２５、Ｆナンバー４．１６〜５．８８程度のズームレンズである。
【００１４】
図３は実施例２の広角端における無限遠物体合焦時のレンズ断面図である。図４（ａ）は実施例２の広角端における無限遠物体合焦時の収差図である。図４（ｂ）は実施例２の望遠端における無限遠物体合焦時の収差図である。実施例２はズーム比４．２５、Ｆナンバー４．１６〜５．８８程度のズームレンズである。
【００１５】
図５は実施例３の広角端における無限遠物体合焦時のレンズ断面図である。図６（ａ）は実施例３の広角端における無限遠物体合焦時の収差図である。図６（ｂ）は実施例３の望遠端における無限遠物体合焦時の収差図である。実施例３はズーム比４．２５、Ｆナンバー４．１６〜５．８８程度のズームレンズである。
【００１６】
図７はポジティブリード型のズームレンズの第１レンズ群のレンズ構成と収差係数Ｉとの関係を示す説明図である。図８はポジティブリード型のズームレンズの第１レンズ群のレンズ構成と収差係数IIとの関係を示す説明図である。図９は本発明の撮像装置の要部概略図である。
【００１７】
各実施例のズームレンズはデジタルカメラやビデオカメラ、放送用カメラ、監視用カメラ、銀塩写真用カメラなどの撮像装置に用いられるズームレンズである。尚、実施例のズームレンズは投射装置（プロジェクタ）用の投射光学系として用いることもできる。
【００１８】
レンズ断面図において、左方が物体側（前方）で、右方が像側（後方）である。また、レンズ断面図において、Ｌ０はズームレンズである。ｉを物体側からのレンズ群の順番とすると、Ｌｉは第ｉレンズ群を示す。ＳＰは開口絞りである。ＩＰは像面である。像面ＩＰは、デジタルカメラやビデオカメラなどの撮像装置としてズームレンズを使用する際には、ＣＣＤセンサやＣＭＯＳセンサなどの撮像素子（光電変換素子）の撮像面に相当する。
【００１９】
銀塩フィルムカメラの撮像装置としてズームレンズを使用する際には、フィルム面に相当する。広角端から望遠端へのズーミングに際して、矢印に示すように第１レンズ群Ｌ１と第３レンズ群Ｌ３乃至第６レンズ群Ｌ６が物体側へ移動する。第２レンズ群Ｌ２は不動である。ズーミングに際して隣り合うレンズ群の間隔が変化する。無限遠から近距離へのフォーカシングに際して、フォーカスに関する矢印の如く第５レンズ群Ｌ５が像側へ移動する。
【００２０】
球面収差図について、ＦｎｏはＦナンバーである。またｄはｄ線（波長５８７．６ｎｍ）、ｇはｇ線（波長４３５．８ｎｍ）、ＦはＦ線（波長４３５．８ｎｍ）である。非点収差図においてＭはｄ線におけるメリディオナル像面、Ｓはｄ線におけるサジタル像面である。歪曲収差図はｄ線について示している。倍率色収差図はｄ線に対するｇ線について示している。ωは半画角（度）である。
【００２１】
各実施例のズームレンズは、物体側から像側へ順に、次のとおりに配置されたレンズ群より構成されている。正の屈折力の第１レンズ群Ｌ１、負の屈折力の第２レンズ群Ｌ２、正の屈折力の第３レンズ群Ｌ３、開口絞りＳＰ、正の屈折力の第４レンズ群Ｌ４，負の屈折力の第５レンズ群Ｌ５、正の屈折力の第６レンズ群Ｌ６から構成されている。
【００２２】
各実施例では、ズーミングに際して隣り合うレンズ群の間隔が変化する。具体的には、広角端と比較して望遠端での第１レンズ群Ｌ１と第２レンズ群Ｌ２の間隔が大きくなり、第２レンズ群Ｌ２と第３レンズ群Ｌ３との間隔が小さくなる。第３レンズ群Ｌ３と第４レンズ群Ｌ４との間隔が小さくなる。第４レンズ群Ｌ４と第５レンズ群Ｌ５との間隔が小さくなり、第５レンズ群Ｌ５と第６レンズ群Ｌ６との間隔が大きくなる。開口絞りＳＰは、第３レンズ群Ｌ３と第４レンズ群Ｌ４の間に配置されており、ズーミングに際して第３レンズ群Ｌ３と一体的に（同じ軌跡で）移動する。
【００２３】
本発明のズームレンズにおいて、第１レンズ群Ｌ１は物体側から像側へ順に配置された物体側に凸面を向けた正レンズＧ１１、物体側の面が凸でメニスカス形状の負レンズＧ１２より構成されている。
【００２４】
ポジティブリード型のズームレンズにおいて第１レンズ群Ｌ１を物体側より像側へ順に物体側の面が凸形状の正レンズ、物体側の面が凸でメニスカス形状の負レンズと正レンズを接合した接合レンズの３枚のレンズより構成したときについて説明する。第１レンズ群Ｌ１を３枚のレンズより構成すると、軸上光線が高い位置を通過する望遠側において球面収差・コマ収差・色収差等を補正するのが容易となる。
【００２５】
ここで、第１レンズ群Ｌ１を物体側より像側へ順に、正レンズ、負レンズ、正レンズと構成したときを構成（Ａ）とする。また第１レンズ群Ｌ１を本発明の如く物体側より像側へ順に正レンズ、メニスカス形状の負レンズより構成したときを構成（Ｂ）とする。このときの収差係数Ｉ、IIについて説明する。図７、図８は各レンズ面で生ずる収差係数Ｉ、IIの説明図である。図７、図８のグラフはそれぞれ横軸に面番号と縦軸に収差係数を示している。
【００２６】
収差係数Ｉ、II共に上記第１レンズ群Ｌ１のどちらのレンズ構成でもＴＯＴＡＬの収差係数はおおよそ同じになっており、第１レンズ群Ｌ１としての収差発生量は同程度と考えることが出来る。しかしながら、各レンズ面の収差係数をみると大きく違っている。まず、第１レンズ群Ｌ１が３枚のレンズよりなる構成Ａのものは、各レンズ面での収差係数が小さい値となっている。
【００２７】
これは、各レンズ面での収差発生を少なくし収差補正を行っていると考えることが出来る。一方で、本発明の２枚のレンズよりなる構成Ｂでは各レンズ面での収差発生量が大きくなっている。これは、各レンズ面で収差を発生させ、互いに打ち消すことで収差補正を行っているからである。２枚のレンズよりなる構成Ｂとなったことで、色収差の補正を考えると低分散硝材よりなる１枚の正レンズと高分散硝材よりなる１枚の負レンズという構成になる。構成（Ｂ）では構成（Ａ）に比べて正レンズの数が減ったことにより、正レンズのパワーが大きくなり、正レンズの各レンズ面での収差係数は大きくなっている。
【００２８】
本発明では、収差係数Ｉ、IIが正レンズで大きく発生してしまったものを、物体側の面が凸でメニスカス形状の負レンズの像側のレンズ面で打ち消すように収差を発生させて収差補正を行っている。よって、本発明のズームレンズは第１レンズ群Ｌ１を物体側より像側へ順に正レンズ、物体側の面が凸でメニスカス形状の負レンズより構成することで少ないレンズ枚数ながらも、良好な光学性能を得ている。
【００２９】
尚、第１レンズ群Ｌ１の軽量化のためには、第１レンズ群Ｌ１内の負レンズの材料に樹脂材料を使用するのが良い。一般的に樹脂材料を使用すると温度変化時にピントがずれやすいという課題があるが、望遠型のズームレンズにおいては第１レンズ群Ｌ１内の負レンズのパワー（屈折力）は比較的弱く環境変化にも強い。また、第１レンズ群Ｌ１を物体側より像側へ順に、正レンズ、負レンズの配置にすることで樹脂材料よりなる負レンズを直接触ることは出来ないため、キズ等がついてしまうことを回避できる。
【００３０】
この他、本発明のズームレンズにおいて好ましくは次の条件式のうち１つ以上を満足するのが良い。負レンズＧ１２の物体側のレンズ面の曲率半径をｒ１２ａ、負レンズＧ１２の像側のレンズ面の曲率半径をｒ１２ｂとする。広角端における全系の焦点距離をｆｗとする。負レンズＧ１２の焦点距離をｆＧ１２とする。正レンズＧ１１の材料のアッベ数をνｄＧ１１とする。広角端におけるバックフォーカスをＳｋｗとする。このとき次の条件式のうち１つ以上を満足するのが良い。
【００３１】
０．０＜（ｒ１２ａ−ｒ１２ｂ）／（ｒ１２ａ＋ｒ１２ｂ）≦０．６  ・・・（１）
０．６≦ｒ１２ｂ／ｆｗ≦３．５        ・・・（２）
１．２≦｜ｆＧ１２／ｆｗ｜≦１０．０  ・・・（３）
５５．０≦νｄＧ１１≦１００．０      ・・・（４）
０．５８＜Ｓｋｗ／ｆｗ＜１．００      ・・・（５）
【００３２】
次に前述の各条件式式の技術的意味について説明する。条件式（１）は、第１レンズ群Ｌ１内のメニスカス形状の負レンズのレンズ形状（形状因子）を規定する。像側のレンズ面にて軸上光束を大きく屈折させることで第１レンズ群Ｌ１における球面収差・コマ収差のバランスをとっている。条件式（１）の上限を超えるとメニスカス形状の負レンズＧ１２の像側のレンズ面で、球面収差・コマ収差等の収差が多く発生してきて、高い光学性能を得るのが困難になる。また、条件式（１）の下限を超えるとメニスカス形状の負レンズＧ１２の負の屈折力が弱くなり、第１レンズ群Ｌ１内での色収差の補正が困難になってくる。
【００３３】
条件式（２）は、第１レンズ群Ｌ１内のメニスカス形状の負レンズＧ１２の像側のレンズ面の曲率半径と広角端における全系の焦点距離の比を規定する。条件式（２）の上限を超えるとメニスカス形状の負レンズＧ１２の像側のレンズ面での球面収差・コマ収差等の収差補正の効果が減少し、高い光学性能を得るのが困難になる。また、条件式（２）の下限を超えるとメニスカス形状の負レンズＧ１２の像側のレンズ面での収差発生量が増え、第１レンズ群Ｌ１内での球面収差・コマ収差等の補正が困難になってくる。また、曲率半径が小さくなると、レンズの製造が困難になる。
【００３４】
条件式（３）は、第１レンズ群Ｌ１内のメニスカス形状の負レンズＧ１２の焦点距離と広角端における全系の焦点距離の比を規定する。条件式（３）の上限を超えるとメニスカス形状の負レンズＧ１２の負の屈折力が弱まり（負の屈折力の絶対値が小さくなり）第１レンズ群Ｌ１内での色収差の補正効果が減少する。また、条件式（３）の下限を超えるとメニスカス形状の負レンズＧ１２の負の屈折力が強くなり（負の屈折力の絶対値が大きくなり）、第１レンズ群Ｌ１内での球面収差・コマ収差等の補正が困難になってくる。
【００３５】
条件式（４）は、第１レンズ群Ｌ１内の正レンズＧ１１の材料のアッベ数に関する。望遠側において色収差は第１レンズ群Ｌ１に含まれる正レンズに低分散ガラスを使用すると軸上色収差と倍率色収差を共に補正することが容易となる。条件式（４）の上限を超えると正レンズＧ１１の第１レンズ群Ｌ１内での色収差の補正効果が過補正となってしまう。また、条件式（４）の下限を超えると正レンズＧ１１の第１レンズ群Ｌ１内での色収差の補正効果が補正不足となってしまう。
【００３６】
条件式（５）は、広角端におけるバックフォーカスＳＫｗと広角端における全系の焦点距離ｆｗの比に関する。条件式（５）の上限を超えてバックフォーカスが長くなると第１レンズ群Ｌ１の屈折力と第２レンズ群Ｌ２の屈折力を弱くしなければならないためレンズ全長が伸びてしまう。また、条件式（５）の下限を超えてバックフォーカスが短くなりすぎると、一眼レフカメラ等の交換レンズに適用したときはクイックリターンミラーと干渉してしまうため良くない。
【００３７】
更に好ましくは条件式（１）乃至（５）の数値範囲を次の如く設定するのが良い。
０．２０≦（ｒ１２ａ−ｒ１２ｂ）／（ｒ１２ａ＋ｒ１２ｂ）≦０．５５・・・（１ａ）
０．６５≦ｒ１２ｂ／ｆｗ≦１．００        ・・・（２ａ）
１．５≦｜ｆＧ１２／ｆｗ｜≦４．０        ・・・（３ａ）
６０．０≦νｄＧ１１≦９６．０            ・・・（４ａ）
０．６５＜Ｓｋｗ／ｆｗ＜０．８０          ・・・（５ａ）
【００３８】
次に本発明の各実施例のレンズ構成を説明する。
［実施例１］
第１レンズ群Ｌ１は、物体側から像側へ順に、物体側の面が凸形状の正レンズＧ１１、物体側の面が凸でメニスカス形状の負レンズＧ１２から構成されている。負レンズＧ１２は物体側の面と像面側の面が共に非球面形状である。また、負レンズＧ１２は樹脂材料で構成されている。第２レンズ群Ｌ２は、物体側から像側へ順に、物体側の面が凹形状の負レンズと物体側の面が凸でメニスカス形状の正レンズを接合した接合レンズ、物体側の面が凹形状の負レンズから構成されている。
【００３９】
第３レンズ群Ｌ３は、物体側から像側へ順に、像側の面が凸形状の正レンズ、物体側の面が凸形状の正レンズと物体側の面が凹形状の負レンズを接合した接合レンズから構成されている。第３レンズ群Ｌ３の像側に開口絞りＳＰが配置されている。第４レンズ群Ｌ４は、物体側から像側へ順に、物体側の面が凹形状の負レンズ、物体側の面が凸形状の正レンズ、物体側の面が凸形状の正レンズから構成されている。
【００４０】
第５レンズ群Ｌ５は、物体側から像側へ順に、物体側の面が凹でメニスカス形状の正レンズ、物体側の面が凹形状の負レンズから構成されている。第５レンズ群Ｌ５は無限から至近への合焦の際に像面側へ動く。第６レンズ群Ｌ６は、物体側の面が凸形状の正レンズから構成されている。
【００４１】
［実施例２］
第１レンズ群Ｌ１のレンズ構成は、実施例１と同じである。第２レンズ群Ｌ２は、物体側から像側へ順に、像側の面が凹形状の負レンズと物体側の面が凸でメニスカス形状の正レンズを接合した接合レンズ、物体側の面が凹形状の負レンズから構成されている。第３レンズ群Ｌ３のレンズ構成は、実施例１と同じである。開口絞りＳＰの位置も実施例１と同じである。
【００４２】
第４レンズ群Ｌ４は、物体側から像側へ順に、物体側の面が凹形状の負レンズ、物体側の面が凸形状の正レンズ、物体側の面が凸形状の正レンズから構成されている。第５レンズ群Ｌ５のレンズ構成は、実施例１と同じである。第５レンズ群Ｌ５は無限から至近への合焦の際に像面側へ動く。第６レンズ群Ｌ６は、物体側の面が凸形状の正レンズから構成されている。
【００４３】
［実施例３］
第１レンズ群Ｌ１のレンズ構成は、実施例１と同じである。第２レンズ群Ｌ２は、物体側から像側へ順に、像側の面が凹形状の負レンズと物体側の面が凸でメニスカス形状の正レンズを接合した接合レンズ、物体側の面が凹形状の負レンズから構成されている。第３レンズ群Ｌ３は、物体側から像側へ順に、物体側の面が凸形状の正レンズ、物体側の面が凸形状の正レンズと物体側の面が凹形状の負レンズを接合した接合レンズから構成されている。
【００４４】
第３レンズ群Ｌ３の像側に開口絞りＳＰが配置されている。第４レンズ群Ｌ４は、両レンズ面が凸形状の正レンズから構成されている。第５レンズ群Ｌ５は、物体側から像側へ順に、物体側の面が凹でメニスカス形状の正レンズ、両レンズ面が凹形状の負レンズから構成されている。第５レンズ群Ｌ５は無限から至近への合焦の際に像面側へ動く。第６レンズ群Ｌ６は、物体側の面が凸形状の正レンズから構成されている。
【００４５】
本発明のズームレンズを撮影光学系として用いたデジタルカメラ（撮像装置）の実施形態を図９により説明する。レンズ鏡筒１０には、実施例１乃至３に示したズームレンズ１１が内蔵されている。カメラ本体２０内には、ズームレンズ１１によって取り込まれた光束を上方に反射するクイックリターンミラー２１、ズームレンズ１１によって被写体像が形成される焦点板２２が設けられている。
【００４６】
更に焦点板２２からの光束を正立像に変換するペンタダハプリズム２３、焦点板２２上に形成された被写体像を観察するための接眼レンズ２４、ズームレンズ１１からの光束を受光するＣＣＤセンサやＣＭＯＳセンサ等の撮像素子２５等が設けられている。
【００４７】
図９は、観察状態つまり撮影待機状態を表しているが、レリーズボタンを撮影者が操作することにより、ミラー２１が図示の光路中から退避し、固体撮像素子２５上に被写体像が取り込まれる。尚、本発明はクイックリターンミラーのないＳＬＲ（Single Lens Reflex）カメラにも同様に適用することができる。また本発明のズームレンズはビデオカメラにも同様に適用することができる。
【００４８】
以下、実施例１乃至３の具体的な数値データを示す。各数値データにおいて、ｉは物体側から数えた順序を示し、ｒｉは第ｉ番目の光学面（第ｉ面）の曲率半径、ｄｉは第ｉ面と第（ｉ＋１）面との間の軸上間隔を示す。又、ｎｄｉ、νｄｉはそれぞれｄ線に対する第ｉ番目の光学部材の材料の屈折率、アッベ数である。非球面形状は光軸方向にＸ軸、光軸と垂直方向にＨ軸、光の進行方向を正としＲを近軸曲率半径、Ｋを円錐定数、Ａ４、Ａ６、Ａ８、Ａ１０、Ａ１２を各々非球面係数とするとき、
【００４９】
【数１】
0006608259.tif 000002
【００５０】
なる式で表している。＊は非球面形状を有する面を意味している。「ｅ−ｘ」は１０−ｘを意味している。ＢＦは空気換算のバックフォーカスである。レンズ全長は第１レンズ面から最終レンズ面までの距離にバックフォーカスＢＦを加えた値である。また、前述の各条件式と実施例１乃至３との関係を表１に示す。
【００５１】
（数値データ１）
単位 mm 
面データ
面番号       r        d      nd         νd       有効径
1         48.239    7.29   1.49700    81.5       41.02 
2       -285.954    0.20                         40.41 
3*        83.279    3.00   1.58306    30.2       38.70 
4*        47.535  (可変)                         36.41 
5       -426.758    1.00   1.72458    50.2       19.22 
6         17.993    2.72   1.80809    22.8       18.35 
7         36.522    2.63                         18.08 
8        -31.345    0.80   1.80400    46.6       18.09 
9        -79.092  (可変)                         18.54 
10       -301.698    2.62   1.80400    46.6       20.95 
11        -44.143    0.10                         21.25 
12         29.827    5.21   1.49700    81.5       21.13 
13        -48.378    1.40   1.91665    34.2       20.55 
14        275.908    6.31                         20.24 
15(絞り)    ∞     (可変)                         19.34 
16       -102.909    1.00   1.85433    32.5       18.42 
17         40.604    0.31                         18.50 
18         57.001    3.27   1.72916    54.7       18.50 
19        -48.598    0.73                         18.70 
20         32.333    3.42   1.65844    50.9       18.52 
21       -589.109  (可変)                         17.97 
22        -93.360    1.55   1.76182    26.5       16.10 
23        -38.443    2.00                         15.89 
24        -39.528    1.00   1.68437    56.6       14.33 
25         32.062  (可変)                         13.75 
26        132.749    1.97   1.54072    47.2       17.28 
27       -204.915  (可変)                         17.46 
像面        ∞   
【００５２】
非球面データ
第3面
K  = 0.00000e+000  A 4=-4.82409e-008  A 6=-3.20726e-010 
A 8=-4.69114e-013  A10=-7.02763e-016  A12=-1.00869e-019  
第4面
K  = 0.00000e+000  A 4= 9.77507e-007  A 6= 3.68942e-010 
A 8=-3.61221e-013  A10=-7.63401e-016  A12=-1.96184e-018  
各種データ
ズーム比     4.25 
広角     中間     望遠
焦点距離      56.80   133.96   241.20  
Fナンバー      4.16     5.18     5.88  
半画角（度）  13.52     5.82     3.24  
像高          13.66    13.66    13.66  
レンズ全長   155.00   190.45   210.00  
BF            39.68    62.21    71.05  
d 4            5.84    41.30    60.84  
d 9           28.83    12.68     1.50  
d15           13.99     7.61     9.94  
d21            4.10     4.18     3.15  
d25           14.03    13.96    14.98  
d27           39.68    62.21    71.05  
入射瞳位置    48.67   144.90   243.04  
射出瞳位置   -44.55   -37.47   -41.11  
前側主点位置  67.17    98.82   -34.45  
後側主点位置 -17.12   -71.75  -170.15  
ズームレンズ群データ
群  始面    焦点距離  レンズ構成長  前側主点位置  後側主点位置
1    1     135.17        10.49        -5.47        -11.87 
2    5     -28.49         7.15         3.21         -1.91 
3   10      46.08        15.63        -0.38        -12.21 
4   16      46.25         8.74         5.41          0.15 
5   22     -38.04         4.55         4.02          0.51 
6   26     149.29         1.97         0.50         -0.78 
単レンズデータ
レンズ  始面  焦点距離
1       1     83.66 
2       3   -196.01 
3       5    -23.81 
4       6     41.19 
5       8    -65.07 
6      10     64.02 
7      12     37.96 
8      13    -44.81 
9      16    -33.97 
10      18     36.45 
11      20     46.65 
12      22     84.75 
13      24    -25.72 
14      26    149.29 
【００５３】
（数値データ２）
単位 mm 
面データ
面番号       r        d      nd         νd       有効径
1         47.111    7.55   1.48749    70.2       41.02 
2       -217.750    0.20                         40.43 
3*       107.076    2.50   1.58306    30.2       38.80 
4*        51.047  (可変)                         36.72 
5        393.995    1.00   1.74950    35.3       20.00 
6         18.914    2.60   1.92286    18.9       19.22 
7         32.919    3.06                         18.85 
8        -30.459    0.80   1.58913    61.1       18.85 
9       -130.959  (可変)                         19.34 
10      -1915.736    2.54   1.80400    46.6       20.75 
11        -51.903    0.20                         20.99 
12         28.596    4.80   1.49700    81.5       20.83 
13        -63.009    1.00   1.91082    35.3       20.25 
14        128.891    4.14                         19.91 
15(絞り)    ∞     (可変)                         19.37 
16       -125.242    1.29   1.82290    25.7       17.99 
17         42.902    0.24                         18.01 
18         56.910    3.11   1.72342    38.0       18.01 
19        -53.334    0.68                         18.14 
20*        25.213    2.98   1.58313    59.4       17.79 
21        307.091  (可変)                         17.28 
22       -204.121    1.49   1.84666    23.8       16.26 
23        -55.303    2.00                         16.02 
24        -71.071    0.70   1.80400    46.6       14.43 
25         25.122  (可変)                         13.88 
26*        44.821    2.09   1.58306    30.2       17.22 
27*       143.030  (可変)                         17.27 
像面        ∞   
【００５４】
非球面データ
第3面
K  = 0.00000e+000  A 4=-3.28852e-009  A 6=-7.18541e-010 
A 8=-1.03930e-012  A10=-2.52055e-016  A12= 1.95339e-018  
第4面
K  = 0.00000e+000  A 4= 1.17029e-006  A 6= 1.30889e-010 
A 8=-1.52389e-012  A10=-1.90898e-015  A12= 5.52736e-018  
第20面
K  = 0.00000e+000  A 4=-3.09458e-006  A 6=-2.96795e-010 
A 8=-1.17099e-010  A10= 2.33552e-013  A12= 1.96595e-015  
第26面
K  = 0.00000e+000  A 4= 1.72262e-007  A 6=-5.38878e-009 
A 8= 1.59563e-009  A10=-1.50506e-011  A12= 2.97817e-014  
第27面
K  = 0.00000e+000  A 4= 2.08190e-007  A 6= 7.77213e-009 
A 8= 6.48847e-010  A10= 1.17877e-012  A12=-5.99422e-014  
各種データ
ズーム比      4.25 
広角     中間     望遠
焦点距離      56.80   133.00   241.20  
Fナンバー      4.16     5.18     5.88  
半画角（度）  13.52     5.86     3.24  
像高          13.66    13.66    13.66  
レンズ全長   154.98   190.19   209.93  
BF            39.68    63.72    76.81  
d 4            5.41    40.62    60.36  
d 9           31.63    14.21     1.50  
d15           19.88    13.27    12.89  
d21            4.10     3.27     2.03  
d25            9.30    10.13    11.37  
d27           39.68    63.72    76.81  
入射瞳位置    49.52   137.80   217.04  
射出瞳位置   -42.04   -36.34   -37.63  
前側主点位置  66.84    94.01   -50.15  
後側主点位置 -17.12   -69.28  -164.39  
ズームレンズ群データ
群  始面    焦点距離  レンズ構成長  前側主点位置  後側主点位置
1    1     140.08        10.25        -5.25        -11.61 
2    5     -31.45         7.46         3.84         -1.66 
3   10      49.19        12.68        -0.85        -10.05 
4   16      43.34         8.31         4.57         -0.58 
5   22     -31.97         4.19         3.86          0.61 
6   26     111.09         2.09        -0.60         -1.91 
単レンズデータ
レンズ  始面  焦点距離
1       1     80.20 
2       3   -170.11 
3       5    -26.54 
4       6     44.23 
5       8    -67.57 
6      10     66.31 
7      12     40.28 
8      13    -46.35 
9      16    -38.70 
10      18     38.51 
11      20     46.92 
12      22     89.18 
13      24    -23.01 
14      26    111.09 
【００５５】
（数値データ３）
単位 mm 
面データ
面番号       r        d      nd         νd       有効径
1         42.265    8.20   1.60311    60.6       42.60 
2       -487.386    0.20                         41.51 
3*       121.567    3.00   1.58306    30.2       39.38 
4*        39.929  (可変)                         35.32 
5        228.854    1.00   1.92411    30.7       19.40 
6         15.662    3.35   1.94719    18.9       18.04 
7         43.921    2.01                         17.76 
8        -40.012    0.80   1.73584    53.7       17.76 
9        635.989  (可変)                         18.12 
10*       165.474    2.63   1.58306    30.2       19.11 
11*       -55.960    4.12                         19.34 
12         28.337    5.60   1.49700    81.5       19.52 
13        -33.888    2.00   2.00069    25.5       19.04 
14        262.367    4.23                         19.07 
15(絞り)    ∞     (可変)                         19.43 
16*        42.636    4.31   1.58313    59.4       19.77 
17*       -38.499  (可変)                         19.52 
18        -45.076    1.34   1.83400    37.2       16.31 
19        -33.037    2.31                         16.24 
20        -38.593    1.00   1.49700    81.5       14.65 
21         27.172  (可変)                         13.99 
22         61.152    2.18   1.83400    37.2       16.66 
23         89.037  (可変)                         16.79 
像面        ∞   
【００５６】
非球面データ
第3面
K  = 0.00000e+000  A 4=-3.57241e-007  A 6=-1.28579e-009 
A 8=-4.62925e-013  A10= 2.10167e-015  A12=-8.40703e-019  
第4面
K  = 0.00000e+000  A 4= 1.35466e-006  A 6=-3.99618e-010 
A 8=-3.00824e-013  A10=-8.25139e-017  A12= 5.22754e-018  
第10面
K  = 0.00000e+000  A 4=-3.70891e-007  A 6=-3.86537e-009 
A 8= 2.49758e-012  A10=-5.53705e-014  A12=-8.52614e-016  
第11面
K  = 0.00000e+000  A 4=-2.01512e-006  A 6=-2.13755e-009 
A 8=-1.78457e-011  A10=-1.45810e-013  A12= 2.56989e-016  
第16面
K  = 0.00000e+000  A 4=-5.99353e-006  A 6= 1.55071e-008 
A 8= 1.14805e-010  A10=-2.53371e-013  A12= 1.86211e-014  
第17面
K  = 0.00000e+000  A 4= 6.58617e-006  A 6= 2.82848e-008 
A 8=-2.14273e-010  A10= 3.26866e-012  A12= 5.59603e-015  
各種データ
ズーム比     4.25 
広角     中間     望遠
焦点距離      56.80   137.00   241.19  
Fナンバー      4.16     5.07     5.88  
半画角（度）  13.52     5.69     3.24  
像高          13.66    13.66    13.66  
レンズ全長   152.22   193.00   207.22  
BF            38.00    55.53    69.48  
d 4            7.03    47.81    62.03  
d 9           25.04    12.66     1.50  
d15           10.67     5.53     2.74  
d17            7.66     6.15     6.51  
d21           15.54    17.05    16.69  
d23           38.00    55.53    69.48  
入射瞳位置    53.83   184.89   261.83  
射出瞳位置   -39.38   -35.61   -32.90  
前側主点位置  68.94   115.97   -65.23  
後側主点位置 -18.79   -81.46  -171.72  
ズームレンズ群データ
群  始面    焦点距離  レンズ構成長  前側主点位置  後側主点位置
1    1     144.80        11.40       -10.51        -16.46 
2    5     -27.96         7.16         3.72         -1.01 
3   10      66.66        18.58        -3.65        -17.19 
4   16      35.39         4.31         1.46         -1.32 
5   18     -41.55         4.65         3.63         -0.04 
6   22     226.10         2.18        -2.51         -3.66 
単レンズデータ
レンズ  始面  焦点距離
1       1     64.86 
2       3   -103.38 
3       5    -18.23 
4       6     24.30 
5       8    -51.13 
6      10     72.04 
7      12     32.01 
8      13    -29.89 
9      16     35.39 
10      18    141.18 
11      20    -31.92 
12      22    226.10 
【００５７】
以上、本発明の好ましい実施形態について説明したが、本発明はこれらの実施形態に限定されず、その要旨の範囲内で種々の変形及び変更が可能である。
【００５８】
【表１】
0006608259.tif 000003
【符号の説明】
【００５９】
Ｌ１  第１レンズ群    Ｌ２  第２レンズ群    Ｌ３  第３レンズ群
Ｌ４  第４レンズ群    Ｌ５  第５レンズ群    Ｌ６  第６レンズ群
【図１】
0006608259.tif 000004
【図２】
0006608259.tif 000005
【図３】
0006608259.tif 000006
【図４】
0006608259.tif 000007
【図５】
0006608259.tif 000008
【図６】
0006608259.tif 000009
【図７】
0006608259.tif 000010
【図８】
0006608259.tif 000011
【図９】
0006608259.tif 000012